(57)【特許請求の範囲】
【請求項１】
互いに平行に配置された複数の放電電極対と、
前記放電電極対に交叉する方向に配置されている複数の隔壁とを有し、
隣接する隔壁に挟まれた放電空間の底面および側面に、順次異なる発光色に対応した３種類の蛍光体を配置したプラズマディスプレイパネルであって、
前記放電電極対に対応した放電セル部においては、どの蛍光体が配置されている放電空間も幅が等しいか、または発光色の輝度が低い蛍光体が配置されている放電空間の幅が他の蛍光体が配置されている放電空間の幅よりも広く、
非放電セル部においては、前記発光色の輝度の低い蛍光体が配置されている放電空間の幅が、放電セル部を囲む隔壁の実効長が長くなるように、他の蛍光体の配置されている放電空間の幅よりも狭まっている
ことを特徴とするプラズマディスプレイパネル。
【請求項２】
前記発光色の輝度の低い蛍光体が、青色を発光する蛍光体であることを特徴とする請求項１記載のプラズマディスプレイパネル。
【発明の詳細な説明】
【０００１】
【発明の属する技術分野】
本発明は、ＰＤＰ（プラズマディスプレイパネル）に関し、さらに詳しくは、カラー表示用ＰＤＰの輝度向上のための放電セル構造の改良に関する。
【０００２】
【従来の技術】
近年、ＰＤＰはカラー化が進み、テレビ、計算機端末等への応用が可能となり、大型フラットディスプレイ実現可能デバイスとして注目されている。
ＰＤＰは、一対のガラス基板を微少間隔で配置し、周辺を封止することによって内部に放電空間を形成した自己発光型の表示パネルである。
【０００３】
このようなＰＤＰでは、放電空間は帯状の隔壁によって仕切られている。この隔壁で仕切られた細長い放電空間の中に個別にアドレス可能な放電セルが３種類の電極によって画定されており、カラー表示用のＰＤＰでは、１画素を赤（Ｒ）、緑（Ｇ）、青（Ｂ）の３色の放電セルで構成するようにしている。
図７は、一般的なカラー表示用のＡＣ駆動型ＰＤＰの分解斜視図である。
【０００４】
この図７において、カラー表示用のＡＣ駆動型ＰＤＰ１０は、前面側ガラス基板１１と背面側ガラス基板２１を主体として構成されている。
前面側ガラス基板１１の内面には、主放電を発生させるための一対の放電電極（サスティン電極）Ｘ、Ｙが、平面視において直線状に、かつ互いに平行になるように配置されている。放電電極対Ｘ、Ｙは、それぞれが透明電極１２と金属電極１３とからなり、誘電体層１７で被覆され、さらにその表面は酸化マグネシウム（ＭｇＯ）からなる保護膜１８で覆われている。
【０００５】
背面側ガラス基板２１の内面には、下地層２２がまず形成され、次にアドレス電極Ａが放電電極対Ｘ、Ｙに直交するように形成された後、絶縁層２４が形成されている。次にアドレス電極Ａを挟むように、全体にわたって均一な幅をもつ帯状の隔壁２９が形成されている。帯状の隔壁２９によって規定される細長い放電空間３０の間隙寸法は表示領域の全域にわたって均一であり、その内面（底面と側面）には、３色（Ｒ、Ｇ、Ｂ）の蛍光体２８Ｒ、２８Ｇ、２８Ｂが規則的に塗布されている。蛍光体２８Ｒ、２８Ｇ、２８Ｂは、放電で生じた紫外線（ＵＶ）により励起されてそれぞれ、赤、緑、青の光を発光する。
【０００６】
表示の１ピクセル（画素）は、各放電電極対に対応したラインＬ方向に並ぶ３つの放電セル、すなわちサブピクセル（Ｒ、Ｇ、Ｂ）からなる。
【０００７】
【発明が解決しようとする課題】
このような従来のカラー表示用のＰＤＰの技術的課題の１つに輝度の向上がある。ＰＤＰにおいては、微少な放電セルの中の発光面積をできるだけ広くし、輝度が上がるよう蛍光体を隔壁の内面全体に塗布するようにしているのであるが、それでもなお一層の発光輝度の改善が求められている。
【０００８】
また、赤、緑、青の各蛍光体の発光効率と最高輝度は、実際には均一でないため、同じ強さの放電で生じた等量の紫外線で励起した場合、特定の色が弱くなり、色バランスが崩れて、表示品質の低下をまねく問題がある。
すなわち、従来のカラー表示用のＰＤＰにおいて、色バランスを保ったまま、発光輝度を上げようとした場合、全ての蛍光体について同じ比率で発光輝度を上げることは困難である。
【０００９】
例えば、現時点で入手可能な蛍光体においては赤と緑の蛍光体に比べての青の蛍光体の最高輝度が、６０から７０％程度低いため３色合成による白色発光の最適混合比を考慮すると、パネル全体の発光輝度が最も輝度の低い青の蛍光体の発光輝度の上がり具合に左右されてしまうわけである。
また、特定の色を発光する蛍光体の発光輝度を上げることにより、白色バランスを変えて、特定の色を強調しようとする場合、その色を発光する蛍光体の発光輝度上昇範囲内でしか色バランスを変えることができない。
【００１０】
この発明は、このような事情を考慮してなされたもので、特定の色を発光する蛍光体の発光面積を増やすようなセル構造を採用して発光輝度の改善を図るとともに、白色バランスを保ったり、あるいは、変化させたりすることが可能なＰＤＰを提供するものである。
【００１１】
【課題を解決するための手段】
つまり本発明は、各色対応の放電セルごとに発光する蛍光体面積を変えるべく放電セルを画定する隔壁のパターンを、従来の単純なストライプから低輝度蛍光体の放電セルにおいてその周辺長が長くなるパターンに変形させることを主旨とするものである。
【００１２】
すなわち、請求項１の発明に係わるプラズマディスプレイパネルは、互いに平行に配置された複数の放電電極対と、前記放電電極対に交叉する方向に配置されている複数の隔壁とを有し、隣接する隔壁に挟まれた放電空間の底面および側面に、順次異なる発光色に対応した３種類の蛍光体を配置したプラズマディスプレイパネルであって、前記放電電極対に対応した放電セル部においては、どの蛍光体が配置されている放電空間も幅が等しいか、または発光色の輝度が低い蛍光体が配置されている放電空間の幅が他の蛍光体が配置されている放電空間の幅よりも広く、非放電セル部においては、前記発光色の輝度の低い蛍光体が配置されている放電空間の幅が、放電セル部を囲む隔壁の実効長が長くなるように、他の蛍光体の配置されている放電空間の幅よりも狭まっていることを特徴とするプラズマディスプレイパネルである。
【００１３】
請求項２の発明に係わるプラズマディスプレイパネルは、前記発光色の低い蛍光体が、青色を発光する蛍光体である。
要するにこの発明は、放電セルの配列ピッチを一定に保持したまま単位発光領域（サブピクセル）を画定する隔壁の側縁形状を変化させることにより、特に青色蛍光体のサブピクセルの発光輝度を実効的に高めるようにしたものである。
【００１４】
【発明の実施の形態】
図１は本発明に係わるＰＤＰの要部の分解斜視図、図２は本発明に係わるＰＤＰの隔壁の側縁形状と蛍光体との配置関係を示す平面図、図３は本発明に係わるＰＤＰの隔壁と電極との配置関係を示す平面図、図４は図２におけるＩ−Ｉ’線上の１ピクセル（画素）間の断面図、図５は図２におけるＪ−Ｊ’線上の１ピクセル（画素）間の断面図、図６は図３において１ピクセル（画素）を拡大した平面図である。
【００１５】
図１におけるＰＤＰ４０は、全体としては図７の従来のＰＤＰ１０と同様に、前面側ガラス基板４１と背面側ガラス基板５１を主体として構成されている。
前面側ガラス基板４１の内面には、主放電を発生させるための一対の放電電極（サスティン電極）Ｘ、Ｙが、平面視において直線状に、かつ互いに平行になるように配置されている。放電電極対Ｘ、Ｙは、それぞれが透明電極４２と金属電極４３とからなり、誘電体層４７で被覆され、さらにその表面は酸化マグネシウム（ＭｇＯ）からなる保護膜４８で覆われている。
【００１６】
背面側ガラス基板５１の内面には、下地層５２がまず形成され、次にアドレス電極Ａが放電電極対Ｘ、Ｙに直交するように形成された後、絶縁層５４が形成されている。
ここまでの構成は従来のパネル構成と実質的に変わるところはないが、本発明においては次にアドレス電極Ａを挟むように形成する隔壁５９に大きな特徴を備えている。
【００１７】
すなわち、隔壁５９は第２図の平面図から一層明らかなように３種類のパターン５９ａ、５９ｂ、５９ｃをもち、この３種類のパターンの隔壁５９が５９ａ、５９ｂ、５９ｃの順に繰り返し配置されている。
これにより形成される放電空間６０のうち、平面視において隔壁５９ａの右側側縁と隔壁５９ｂの左側側縁により形成される放電空間６０Ｂには最も輝度の低い青の蛍光体５８Ｂを塗布している。
【００１８】
以下同様に、５９ｂの右側側縁と５９ｃの左側側縁からなる放電空間６０Ｒには赤の蛍光体５８Ｒを、５９ｃの右側側縁と５９ａの左側側縁からなる放電空間６０Ｇには緑の蛍光体５８Ｇをそれぞれ塗布している。
隔壁５９の形成方法としては、低融点ガラスなどの隔壁材料の一様な層を設け、その上にフォトリソグラフィによって所定の隔壁パターンに対応したレジストマスクを設けた後にサンドブラストでパターンニングする方法が好適である。
【００１９】
図３は表示面側の放電電極対Ｘ、Ｙを重ねた要部平面図であり、放電空間６０と放電電極対Ｘ、Ｙ、アドレス電極Ａにより各放電セル（サブピクセル）が画定されることになる。
この実施例の場合アドレス電極Ａのピッチは一定であり、したがって、放電セルの配列ピッチも一定である。しかしながら、低輝度蛍光体５８Ｂの放電セル部の隔壁間隔を広げても良い。
【００２０】
図６は図３の中から表示の１ピクセル（画素）分を取り出して示した平面図であり、従来のＰＤＰ１０と同様に各放電電極対に対応したライン方向に並ぶ３色の放電セル、すなわちサブピクセル（６０Ｒ、６０Ｇ、６０Ｂ）からなる。図６から明らかなように、放電空間６０の各放電電極対に対応するセル（６０Ｒ、６０Ｇ、６０Ｂの寸法ＤとＷは各セルにおいて実質的に均等であるが、放電電極対Ｘ、Ｙを外れた非放電部において隔壁間隔が狭くなっている放電空間においては、放電セル部を囲む隔壁の実効長が長くなっていることが判る。
【００２１】
すなわち、本実施例のＰＤＰ４０においては、青に対して３．６７倍の輝度を持つ緑の蛍光体を塗布している放電空間の、各放電電極対間（逆スリット）にあたる非放電部分の間隙寸法は、放電セル部の間隙寸法と同じになるよう隔壁５９を形成している。また、青に対して２．２７倍の輝度を持つ赤の蛍光体を塗布している放電空間の、各放電電極対間（逆スリット）にあたる非放電部分の間隙寸法は、放電セル部の間隙寸法より狭くなるよう隔壁５９を形成している。そして、青を発光する蛍光体を塗布している放電空間の、各放電電極対間（逆スリット）にあたる非放電部分の間隙寸法は、赤の場合よりもさらに狭くなるよう隔壁５９を形成している。
【００２２】
これにより、放電セル部（スリット部）と各放電電極対間（逆スリット部）にあたる部分の間隙寸法の差が大きい程、その両部分をつなぐ区間を形成している隔壁５９の側縁の傾斜が大きくなり、放電セル部の周辺を隔壁５９が囲むような形状になる。
図６に示すように、隔壁５９の側傾斜が大きく、隔壁５９により囲まれた形状になっているほど、放電セル部周辺での、放電により生じた紫外線（ＵＶ）により励起し発光する蛍光体の面積が増加する。
【００２３】
上述の実施形態によれば、各放電電極対間にあたる部分の間隙寸法を変化させることで、放電セル周辺の放電により発光する蛍光体の面積を変化させることができ、放電セル周辺の総合的な蛍光体の発光輝度を実効的に向上させることができる。
よって、白色バランスを保ったまま、もともと発光輝度の高い赤の蛍光体や、緑の蛍光体の発光輝度を下げることなく、もともと発光輝度の低い青の蛍光体の発光輝度を向上させることができる。
【００２４】
本実施例においては、発光輝度を向上させる上で問題になる青の蛍光体の発光輝度向上のために隔壁５９の形状を変化させたが、特定の白色バランスをつくり出す際にも隔壁５９の形状を変化させることで、特定の色の蛍光体の発光輝度に制限されることがなくなる。
なお、本実施例においては、ＰＤＰとしてカラー表示用のＡＣ駆動型ＰＤＰを例に挙げて説明したが、本発明はこれに限定されるものではなく、カラー表示用であれば、あらゆるＰＤＰに適用することができる。
【００２５】
【発明の効果】
この発明によれば、発光輝度の高い蛍光体の発光輝度を下げることなく、発光輝度の低い蛍光体の発光輝度を上げることができるので、白色バランスを保ったまま、発光輝度の改善がおこなえる。また、発光輝度を落とすことなく、白色バランスを変化させることができる。
【図面の簡単な説明】
【図１】本発明に係わるＰＤＰの要部の分解斜視図である。
【図２】本発明に係わるＰＤＰの隔壁の側縁形状と蛍光体との配置関係を示す平面図である。
【図３】本発明に係わるＰＤＰの隔壁と電極との配置関係を示す平面図である。
【図４】図２におけるＩ−Ｉ’線上の１ピクセル（画素）間の断面図である。
【図５】図２におけるＪ−Ｊ’線上の１ピクセル（画素）間の断面図である。
【図６】図３において１ピクセル（画素）を拡大した平面図である。
【図７】従来のカラー表示用のＡＣ駆動型ＰＤＰの分解斜視図である。
【符号の説明】
１０、４０・・・ＰＤＰ（プラズマディスプレイパネル）
２８Ｒ、２８Ｇ、２８Ｂ、５８Ｒ、５８Ｇ、５８Ｂ・・・蛍光体
２９、５９ａ、５９ｂ、５９ｃ・・・隔壁
３０、６０Ｒ、６０Ｇ、６０Ｂ・・・放電空間
ＥＧ・・・ピクセル（画素）
ＥＵ・・・サブピクセル（単位発光領域）
Ｘ、Ｙ・・・放電電極
ＵＶ・・・紫外線
【図１】
0003918972.tif 000002
【図２】
0003918972.tif 000003
【図３】
0003918972.tif 000004
【図４】
0003918972.tif 000005
【図５】
0003918972.tif 000006
【図６】
0003918972.tif 000007
【図７】
0003918972.tif 000008